(57)【特許請求の範囲】
【請求項１】
デジタル放送信号を受信し、少なくとも映像情報および音声情報を担う多重化されたパケットを含むトランスポート・ストリームを復調した後に、所望のトランスポート・ストリームを記録装置に読出し可能に記録する記録方法において、トランスポート・ストリームを構成するトランスポート・パケットの単位時間当りのパケット数に基づき得られたトランスポート・ストリームのエラー情報に基づいてトランスポート・ストリームを選択的に記録装置に記録することを特徴とする記録方法。
【請求項２】
デジタル放送信号を受信し、少なくとも映像情報および音声情報を担う多重化されたパケットを含むトランスポート・ストリームを復調した後に、所望のトランスポート・ストリームを記録装置に読出し可能に記録する記録方法において、トランスポート・ストリーム内のＰＳＩ情報に基づき得られたトランスポート・ストリームのエラー情報に基づいてトランスポート・ストリームを選択的に記録装置に記録することを特徴とする記録方法。
【請求項３】
デジタル放送信号を受信し、少なくとも映像情報および音声情報を担う多重化されたパケットを含むトランスポート・ストリームを復調した後に、所望のトランスポート・ストリームを記録装置に読出し可能に記録する記録方法において、トランスポート・ストリーム内のＰＡＴに基づき得られたトランスポート・ストリームのエラー情報に基づいてトランスポート・ストリームを選択的に記録装置に記録することを特徴とする記録方法。
【請求項４】
デジタル放送信号を受信し、少なくとも映像情報および音声情報を担う多重化されたパケットを含むトランスポート・ストリームを復調した後に、所望のトランスポート・ストリームを記録装置に読出し可能に記録する記録方法において、トランスポート・ストリーム内のＰＭＴに基づき得られたトランスポート・ストリームのエラー情報に基づいてトランスポート・ストリームを選択的に記録装置に記録することを特徴とする記録方法。
【発明の詳細な説明】
【０００１】
【発明の属する技術分野】
本発明は、受信したデジタル放送を記録する記録方法に関する。
【０００２】
【従来の技術】
デジタル伝送による衛星放送形態（デジタル放送）が既に実用化されているが、このデジタル放送では、高能率圧縮符号化技術の採用によって、放送局から送信される放送信号により高速に膨大な量の情報が伝送されている。この伝送される情報には、番組のコンテンツを構成する映像／音声信号の情報（番組情報）やデータ放送の情報や番組名や番組の開始／終了時刻など番組選局などに利用されるＳＩ（Ｓｅｒｖｉｃｅ Ｉｎｆｏｒｍａｔｉｏｎ）情報が含まれる。
【０００３】
これらの情報は１８８バイトの固定長のトランスポート・パケットによって多重・分離されたトランスポート・ストリームにより伝送される。このトランスポート・パケットにはエラーを検出するための符号（エラー符号）が付加されている。
【０００４】
ＳＩ情報は番組選局や番組予約の為の番組表を映出するためにテレビ受信機内に記憶される。ＳＩ情報の場合、受信した情報がエラーを含んでいる時は、この情報を繰り返し受信することおよび上記エラー符号以外のエラー検出情報を含んでいることにより伝送レートも高くないことから簡単にエラーの訂正が可能である。従って、ＳＩ情報はエラーを訂正後記憶される。
【０００５】
一方、番組情報の場合、受信した番組情報にエラーが含まれる場合は、ＭＰＥＧ（Ｍｏｖｉｎｇ Ｐｉｃｔｕｒｅ Ｅｘｐｅｒｔｓ Ｇｒｏｕｐ）デコーダにより補正されてテレビジョン受像機に映像・音声として出力される。また、受信した番組情報をＨＤＤ（Ｈａｒｄ Ｄｉｓｋ Ｄｒｉｖｅ）などの記録装置に記録するデジタル放送受信機が提案されている（特開２００１−２６８５１６号）。このＨＤＤを内蔵する受信装置においては、映像・音声を記録することができるにもかかわらず、これらについては記録中に全てのデータの健全性を調査することができない問題点があった。
【０００６】
【発明が解決しようとする課題】
上述の様に、従来は、映像・音声信号の記録時に、記録するデータ全てのデータのチェックを行っていないために、記録したデータを再生する時に、再生できないようなデータを記録し、記録効率が悪化するという問題があった。また、再生時にも、このエラーの状態がわからないという問題があった。
【０００７】
本発明は不要なデータを除去して再生可能なデータを選択的に記憶し、記録装置の記録効率を向上できる記録方法を提供することを目的とする。
【０００８】
【課題を解決するための手段】
上記目的を達成するために、請求項１に係る発明の記録方法は、デジタル放送信号を受信し、少なくとも映像情報および音声情報を担う多重化されたパケットを含むトランスポート・ストリームを復調した後に、所望のトランスポート・ストリームを記録装置に読出し可能に記録する記録方法において、トランスポート・ストリームを構成するトランスポート・パケットの単位時間当りのパケット数に基づき得られたトランスポート・ストリームのエラー情報に基づいてトランスポート・ストリームを選択的に記録装置に記録することを特徴とする。
【０００９】
請求項２に係る発明の記録方法は、デジタル放送信号を受信し、少なくとも映像情報および音声情報を担う多重化されたパケットを含むトランスポート・ストリームを復調した後に、所望のトランスポート・ストリームを記録装置に読出し可能に記録する記録方法において、トランスポート・ストリーム内のＰＳＩ情報に基づき得られたトランスポート・ストリームのエラー情報に基づいてトランスポート・ストリームを選択的に記録装置に記録することを特徴とする。
【００１０】
請求項３に係る発明の記録方法は、デジタル放送信号を受信し、少なくとも映像情報および音声情報を担う多重化されたパケットを含むトランスポート・ストリームを復調した後に、所望のトランスポート・ストリームを記録装置に読出し可能に記録する記録方法において、トランスポート・ストリーム内のＰＡＴに基づき得られたトランスポート・ストリームのエラー情報に基づいてトランスポート・ストリームを選択的に記録装置に記録することを特徴とする。
【００１１】
請求項４に係る発明の記録方法は、デジタル放送信号を受信し、少なくとも映像情報および音声情報を担う多重化されたパケットを含むトランスポート・ストリームを復調した後に、所望のトランスポート・ストリームを記録装置に読出し可能に記録する記録方法において、トランスポート・ストリーム内のＰＭＴに基づき得られたトランスポート・ストリームのエラー情報に基づいてトランスポート・ストリームを選択的に記録装置に記録することを特徴とする。
【００１７】
このような構成により、不要なデータを除去して再生可能なデータを選択的に記憶し、記録装置の記録効率を向上できる記録方法を提供することが可能となる。
【００１８】
【発明の実施の形態】
以下に本発明に係る実施の形態を、図面を参照して説明する。図１は本発明の背景となる参考技術に係るデジタル放送用のテレビジョン受信装置が使用されるデジタル放送システムの概略を示すブロック図である。デジタル放送局１からデータ群である伝送情報が変調段２で変調されてデジタル放送信号として、各テレビジョン受信装置３に伝送される。この伝送情報としては、映像情報、音声情報、ＰＳＩ（ＰｒｏｇｒａｍＳｐｅｃｉｆｉｃ Ｉｎｆｏｒｍａｔｉｏｎ）情報、ＳＩ（Ｓｅｖｉｃｅ Ｉｎｆｏｒｍａｔｉｏｎ）情報、データ放送情報が含まれる。
【００１９】
映像情報と音声情報とは番組内容情報を構成する。ＰＳＩ情報は放送チャンネルを識別するデータであり、ＰＡＴ（Ｐｒｏｇｒａｍ Ａｓｓｏｃｉａｔｉｏｎ Ｔａｂｌｅ）、ＰＭＴ（Ｐｒｏｇｒａｍ Ｍａｐ Ｔａｂｌｅ）を含む。また、ＳＩ情報は番組名や番組の開始／終了時刻など番組予約などに利用される番組情報である。
【００２０】
これらの情報はトランスポート・ストリームとして伝送される。ＭＰＥＧ２トランスポート・ストリームは、図２（ａ）に示す通り、１８８バイト固定長のトランスポート・パケット４によって多重・分離される。このトランスポート・パケット４のデータは、図２（ｂ）に示す通り、パケットの制御情報を示すヘッダ部４ａ、個別ストリームの動的な状態変化の情報を示すアダプテーション・フィールド４ｂ、映像や音声のデータを示すペイロード（４８バイト）４ｃから構成される。
【００２１】
このヘッダ部４ａは、同期信号である同期バイト（８ビット）４ｄ、パケット中のビット・エラーの有無を示すエラー・インジケータ（１ビット）４ｅ、新たなＰＥＳ（Ｐａｃｋｅｔｉｚｅｄ Ｅｌｅｍｅｎｔａｒｙ Ｓｔｒｅａｍ）パケットがこのトランスポート パケットのペイロードから始まることを示すユニット開始表示（１ビット）４ｆ、このパケットの重要度を示すトランスポート・パケット優先度（１ビット）４ｇ、ストリームの識別情報であって該当パケットの個別ストリームの属性を示すＰＩＤ（Ｐａｃｋｅｔ Ｉｄｅｎｔｉｆｉｃａｔｉｏｎ）（１３ビット）４ｈを含む。
【００２２】
また、ヘッダ部４ａは、このパケットのペイロードのスクランブルの有無、種別を示すスクランブル制御（２ビット）４ｉ、このパケットでのアダプテーション・フィールドの有無およびペイロードの有無を示すアダプテーション・フィールド制御（２ビット）４ｊ、同じＰＩＤを持つパケットが途中で一部棄却されたか否かを検出するための情報である巡回カウンタ（４ビット）４ｋを含む。
【００２３】
テレビジョン受信装置３の構成について、図３を用いて説明する。図３はテレビジョン受信装置３の構成を説明するブロック図である。テレビジョン受信装置３は受信した放送信号を復調する復調段１１、復調段１１から出力されるトランスポート・ストリーム（トランスポート信号）をデコードするトランスポート・ストリーム・プロセッサー（以下ＴＳＰと称す）１２、ＴＳＰ１２より第１の信号線１３に出力されるトランスポート信号を処理するＭＰＵ（Ｍｉｃｒｏ Ｐｒｏｃｅｓｓｏｒ Ｕｎｉｔ）１４、ＭＰＵ１４から出力されるデータを記録し、ＨＤＤ（Ｈａｒｄ Ｄｉｓｋ Ｄｒｉｖｅ）からなる記録装置１５を有する。
【００２４】
ＭＰＵ１４は記録装置１５に記録するデータを一時的に記憶するＲＡＭ（Ｒａｎｄａｍ Ａｃｃｅｓｓ Ｍｅｍｏｒｙ）１４ａを有する。このＭＰＵ１４には、ＴＳパケット内のエラー・インジケータに基づき、ＴＳパケット信号のエラーの有無を示すエラー情報が、第２の信号線１６を介して、ＴＳＰ１２からＭＰＵ１４に伝送される。
【００２５】
記録装置１５には、図２（ａ）に示したトランスポート・ストリームの状態で記録される。記録装置１５に記録された信号は、その再生時には、ＭＰＵ１４の制御のもと、第３の信号線１７に出力され、ＭＰＥＧデコーダ（図示せず）に印加される。その後、映像・音声信号に編成されて最終的にブラウン管、スピーカ（図示せず）に出力される。
【００２６】
次に、テレビジョン受信装置３における記録装置１５へのデータの記録手順について、図４を参照して説明する。ＭＰＵ１４が記録の指示を受けて記録処理を開始すると、まず、ＴＳＰ１２がＴＳパケットのエラー・インジケータに基づきエラーの有無を検知する（ステップ１）。検知されたエラー情報はＴＳＰ１２からＭＰＵ１４に伝送される。このエラー情報により、ＴＳＰパケットにエラーが無い場合は、ＭＰＵ１４は記録装置１５への書き込み処理を行う（ステップ２）。この書き込み処理は、ＴＳＰ１２から出力されたデータ（ＴＳパケット）は一定量ＲＡＭ１４ａに貯えられた後、記録装置１５への書き込みにより行われる。
【００２７】
エラー情報によりエラーが検知された場合、ＭＰＵ１４は単位時間当りのエラー発生を観測する（ステップ３）。この観測期間中にＴＳＰ１２から送られてくるデータはＲＡＭ１４ａに一時的に貯えられている。単位時間当りのエラーの発生が一定限度を超えた時点で、エラー発生中のデータは最終的に記録装置１５には書き込み処理は行われないが、記録装置１５内に設けられたデータ管理情報領域にエラー発生の継続時間、例えば、５分１０秒から６分５０秒が、記録されたデータ管理情報の一部として記録される（ステップ４）。このエラー情報は記録装置１５内に貯えられたデータを再生する場合、この情報をモニターに表示するなどの様に、利用される。ここで、データ管理情報としては、上述のエラー情報の他に全体の記録時間などデータの管理に必要な情報を含む。
【００２８】
この単位時間当のエラー発生が一定限度以内であるときは、このデータの記録装置１５への書き込み処理を行うと共にデータ管理情報領域にエラー発生の継続時間を記録する（ステップ５）。
【００２９】
記録終了の有無を検知する（ステップ６）。記録を継続する場合は、最初に戻る。記録終了の場合は処理を終了する。
【００３０】
上述の参考技術では、ＴＳパケット内のエラー・インジケータにより受信データのエラーの状態を検知して、データの選択的な記録を行う記録方法について説明した。
以下、本発明に係る実施形態である、単位時間当りのＴＳパケット数の変動により受信データのエラー状態を検知して、記録装置へのデータの選択的な書き込みについて、図５以降を用いて説明する。
【００３１】
図５はＴＳパケット数により受信したデータのエラー状態の有無を検知する手順を示すフローチャート図である。まず、一定時間毎のパケット数を検出して単位時間当りのパケット数を得る（ステップ１１）。前回記録したデータの単位時間当りのパケット数のデータの有無を確認する（ステップ１２）。前回記録した単位時間当りのパケット数と今回検出された単位時間当りのパケット数との差を算出する（ステップ１３）。尚、前回記録したデータがない場合、即ち、初めてのデータの記録の場合は、ステップ１１で得られた単位時間当りのパケット数を記録装置のデータ管理情報領域に記録する（ステップ１４）と共にデータは正常状態として取り扱う。この後、図示を省略した記録装置への書き込み処理を行う。
【００３２】
次に、ステップ１３で得られたパケット数の差の急激な変化を監視する。即ち、ステップ１３で得られたパケット数の差の値とＰＳＩ情報内のＰＭＴから得られた最大レートとを比較する（ステップ１５）。ステップ１５で最大レートを越えたと判断された場合は、この状態が一定時間継続しているか否か監視する（ステップ１６）。一定時間以上継続している場合は、エラー状態と判断し、書き込み禁止の処理を行う。即ち、エラー状態と判断されたデータの記録装置への書き込みは行わず、書き込みが行われなかったデータの時間情報を記録装置のデータ管理情報領域に書き込む。ステップ１６で一定時間以内の継続の場合は、ステップ１１に戻り、所定の処理を行う。
【００３３】
ステップ１５において、最大レートを越えないと判断された場合は、受信パケット数に対するエラー・パケット数の値が所定値以下か否か検証する（ステップ１７）。検証の結果、所定値以下であれば正常状態として、所定の記録装置への書き込み処理を行う。一方、所定値以下でない場合は、ステップ１６に移りその状態の継続状態を判定した上で、所定の処理が行われる。
【００３４】
さらに、他の実施の形態について説明する。この他の実施の形態では、受信したデータの状態を、トランスポート・ストリームのパケット中に含まれるＰＳＩ情報を監視することにより、受信状態のエラーの有無を検知するものである。即ち、ＰＳＩ情報は、前述の通り、トランスポート・ストリーム中に多数の映像、音声の個別ストリームが含まれるために、複数のプログラム（番組）の中から、どのプログラムを選び、どのＴＳパケットを取り出して、どの様に復号すればよいかとの情報である。その内容から、テレビジョン受信装置はこのＰＳＩ情報を一定間隔で繰り返して（周期的）取得している。この為に、このＰＳＩ情報を監視することにより、データの受信状態を判定する指標として使用できる。このＰＳＩ情報は、ＴＳパケット単位の情報を表わすＰＡＴとサービス（番組）単位の情報を表わすＰＭＴとを含み、これらの情報のいずれか一方の受信状態からデータの受信状態を知ることができる。
【００３５】
このＰＳＩ情報を用いて、テレビジョン受信装置３における記録装置１５へのデータの記録手順について、図６を参照して説明する。ＭＰＵ１４が記録の指示を受けて記録処理を開始すると、まず、ＴＳＰ１２がＰＳＩ情報を取得する（ステップ２１）。ＰＳＩ情報が取得された場合は、受信したデータが正常状態と判定し、ＭＰＵ１４は記録装置１５への書き込み処理を行う（ステップ２２）。この書き込み処理は、前述の実施の形態で説明したものと同様であることから、ここでの説明は省略する。
【００３６】
ステップ２１でＰＳＩ情報が取得できなかった場合、得られない時間を観測し、一定時間以内か否か判定する（ステップ２３）。この観測期間中にＴＳＰ１２から送られてくるデータはＲＡＭ１４ａに一時的に貯えられている。ＰＳＩ情報が得られない時間が一定限度を経過した時点で、受信データはエラー状態と判断され、この間のデータは最終的に記憶装置１５には書き込み処理は行われない。しかし、記録装置１５内に設けられたデータ管理情報領域にエラー発生の継続時間がデータ管理情報の一部として記録される（ステップ２４）。
【００３７】
ステップ２３でのＰＳＩ情報が得られない時間が所定時間以内であるときは、このデータの記録装置１５への書き込み処理を行うと共にデータ管理情報領域にエラー発生の継続時間を記録する（ステップ２５）。
【００３８】
記録終了の有無を検知し（ステップ２６）、記録を継続する場合は、最初に戻る。記録終了の場合は処理を終了する。
【００３９】
【発明の効果】
以上詳述した発明によれば、不要なデータを除去して再生可能なデータを選択的に記憶し、記録装置の記録効率を向上できる記録方法を提供することが可能である。
【図面の簡単な説明】
【図１】本発明の背景となる参考技術によるテレビジョン受信装置が用いられる放送システムを示すブロック図。
【図２】放送システムで伝送されるトランスポート・ストリームを示す模式図。
【図３】本発明の背景となる参考技術によるテレビジョン受信装置の概略を示すブロック図。
【図４】本発明の背景となる参考技術による放送信号の記録方法を示すフローチャート。
【図５】本発明の実施の形態による放送信号の記録方法を示すフローチャート。
【図６】本発明の他の実施の形態による放送信号の記録方法を示すフローチャート。
【符号の説明】
１…デジタル放送局、２…変調段、３…テレビジョン受信装置、４…トランスポート・パケット、１１…復調段、１２…トランスポート・ストリーム・プロセッサ、１３…第１の信号線、１４…ＭＰＵ、１５…記録装置、１６…第２の信号線、１７…第３の信号線。
【図１】
0003770595.tif 000002
【図２】
0003770595.tif 000003
【図３】
0003770595.tif 000004
【図４】
0003770595.tif 000005
【図５】
0003770595.tif 000006
【図６】
0003770595.tif 000007